(57)【要約】【課題】高精細で高速印字が可能な走査型レーザ印字装置を提供する。【解決手段】走査型レーザ印字装置は、光が出力される光ファイバと、光ファイバの光出力端を変位させる光ファイバ駆動機構と、光ファイバからの出力光を集束するための第一のレンズと第二のレンズを有し、第一のレンズは、その光軸が光ファイバの光出力端変位量に依存して変化し、第一のレンズの光軸と第二のレンズの光軸との相対的位置関係が光ファイバの光出力端変位量に依存して変化するようにする。また、光ファイバの光出力端部の先端に、第一のレンズが備えられているようにする。また、第一のレンズを、入力される電気信号に依存して光軸が変化する液体レンズで構成する。【選択図】  図５
2019207926.tif 000002
【特許請求の範囲】
【請求項１】
光が出力される光ファイバと、
前記光ファイバの光出力端を変位させる光ファイバ駆動機構と、
前記光ファイバからの出力光を集束するための第一のレンズと第二のレンズを有し、
前記第一のレンズは、その光軸が前記光ファイバの光出力端変位量に依存して変化し、
前記第一のレンズの光軸と前記第二のレンズの光軸との相対的位置関係が前記光ファイバの光出力端変位量に依存して変化することを特徴とする走査型レーザ印字装置。
【請求項２】
前記第一のレンズの倍率が１以下であり、前記光ファイバからの出力光をコア径以下の大きさで集束することを特徴とする請求項１記載の走査型レーザ印字装置。
【請求項３】
前記第二のレンズの倍率が１以上であることを特徴とする請求項１記載の走査型レーザ印字装置。
【請求項４】
前記光ファイバは、その光出力端部の先端に、前記第一のレンズが備えられたレンズ装荷型光ファイバであることを特徴とする請求項１記載の走査型レーザ印字装置。
【請求項５】
前記第一のレンズは、入力される電気信号に依存して光軸が変化する液体レンズであることを特徴とする請求項１記載の走査型レーザ印字装置。
【請求項６】
さらに、前記第一のレンズの光軸を変化させるレンズ駆動機構と、
前記レンズ駆動機構を駆動するための第一の駆動電圧制御回路と、
前記光ファイバ駆動機構を駆動するための第二の駆動電圧制御回路とを備え、
前記第一の駆動電圧制御回路と前記第二の駆動電圧制御回路とに入力される電気信号の繰り返し周波数がほぼ同一であることを特徴とする請求項１記載の走査型レーザ印字装置。
【請求項７】
さらに、第三のレンズを有し、
前記第三のレンズは、レンズを透過する光線が光軸に対してほぼ平行であるテレセントリックレンズであることを特徴とする請求項１記載の走査型レーザ印字装置。
【請求項８】
前記光ファイバから出力された光の一部を分岐するための光分岐器と、
前記光分岐器で分岐された一方の光を入力するための受光器と、
前記受光器と電気的に接続されたビーム位置検出回路とを備え、
前記ビーム位置検出回路により算出されたビーム位置情報に基づき前記光ファイバ駆動機構を駆動することを特徴とする請求項７記載の走査型レーザ印字装置。
【請求項９】
前記光ファイバが、マルチモード光ファイバであることを特徴とする請求項１記載の走査型レーザ印字装置。
【請求項１０】
前記光ファイバが、フォトニック結晶ファイバであることを特徴とする請求項１記載の走査型レーザ印字装置。
【請求項１１】
さらに、第四のレンズを有し、
前記第四のレンズは、その光軸の垂直方向に対し１方向のみに曲面を有する円柱レンズであることを特徴とする請求項１記載の走査型レーザ印字装置。
【発明の詳細な説明】
【技術分野】
【０００１】
本発明は、走査型レーザ印字装置に係り、特に、光ファイバの先端を走査することにより、印字位置を定める走査型レーザ印字装置において、印字対象物に対して高精細かつ高速に印字するのに好適であり、安全性が高いレーザ印字装置に関する。
【背景技術】
【０００２】
食品、医薬品、工業製品などに賞味期限やバーコード等を非接触で印字する方法として、レーザ光を照射することで表面を加工するレーザ印字方式が知られている。例えば、特許文献１には、レーザ印字装置の構成として、ＣＯ２レーザから出射された光を、ガルバノミラーを用い２次元面内で走査する構成が開示されている。また、ＣＯ２レーザなどのガスレーザに代わり、ＹＡＧレーザ、ＹＶＯ４レーザ、ファイバレーザ、半導体レーザなどの固体レーザを用いたレーザ印字装置も知られている。特許文献２には、レーザ印字装置の構成として、半導体レーザから出射された光を、ガルバノミラーを用い２次元面内で走査する構成が開示されている。
【０００３】
特許文献２に記載の半導体レーザを用いたレーザ印字装置は、ＣＯ２レーザと比較し、出射ビーム径が小型であるため、高精細な印字が可能であるという利点がある。
【０００４】
特許文献１および特許文献２に記載のレーザ印字装置においては、レーザ光を走査するために、ガルバノミラーを用いている。ガルバノミラーは、比較的大型であるという理由から、高速な駆動が難しく、ガルバノミラーの応答速度が印字速度を制限する要因となる。また、特許文献１および特許文献２に記載のレーザ印字装置においては、ともに、光を自由空間に取り出す必要があるため、レーザが高出力であるときには安全性に懸念がある。
【０００５】
このような課題を解決するために、光ファイバ先端を直接走査するレーザ印字装置がある。光ファイバ先端を直接走査する技術に関しては、例えば、特許文献３がある。特許文献３には、光ファイバ先端を振動させる光ファイバスキャナが開示されており（図４、段落番号００４５）、その適用例として、医療用のファイバスコープ内視鏡が採り上げられている。
【先行技術文献】
【特許文献】
【０００６】
【特許文献１】特開２００１−９６７９７号公報
【特許文献２】特開平１１−１５６５６７号公報
【特許文献３】特表２００８−５０４５５７号公報
【発明の概要】
【発明が解決しようとする課題】
【０００７】
光ファイバスキャナは小型、軽量であり、高速な駆動が可能であるため、光ファイバスキャナを用いたレーザ印字装置は、ガルバノミラーを用いたレーザ印字装置と比較して、高速印字の観点で有利である。また、光ファイバスキャナを用いたレーザ印字装置は、レーザ光源からスキャナ出射端部まで自由空間を介さないシームレスな接続により、高い安全性が期待される。
【０００８】
しかしながら、光ファイバスキャナを用いたレーザ印字装置においては、高精細印字と高速印字がトレードオフの関係にあり、両者を両立させるのは難しいという課題がある。
【０００９】
一般に、高速印字するにはレーザパワーを増大させる必要があるが、レーザパワーを大きくすると光ファイバ中のエネルギー密度が高くなるため、光ファイバを劣化させる懸念がある。そのため光ファイバのコア径を大きくし、エネルギー密度を低減する必要がある。コア径を大きくすることで光ファイバの劣化は抑制されるが、出射ビーム径が大型化することとなり、印字品質が劣化することとなる。光ファイバから出射された光を、レンズを用い集束することで、ビーム径を小さくすることが可能ではあるが、この場合はビームを走査できる領域が狭くなってしまう。よって、いずれにしてもレーザ高出力化による出射ビーム径の大型化は印字品質の劣化につながる。
【００１０】
なお、光ファイバ先端を振動させて、レーザ光の出射方向を可変にする光ファイバスキャナは、特許文献３に示されるような医療用のファイバスコープ内視鏡などに応用されることが一般的に知られている。ファイバスコープ内視鏡は人体内部を観察することを目的としており、レーザの高出力化に対する要求がないため、出射ビームが大型化する課題自体がない。またファイバスコープ内視鏡は人体内部の極微小エリアを観察することが目的であるため、広範囲に光を走査する必要性が無く、仮に出射ビームが大型化する課題があったとしても、レンズで集束すればよく、そのときに発生する光の走査領域の縮小は、課題にはならない。そのため、光ファイバスキャナをレーザ印字装置に適用した場合の、印字品質、印字速度については考慮されていない。
【００１１】
本発明の目的は、高精細かつ高速に印字が可能であり、また安全性が高い走査型レーザ印字装置を提供することにある。
【課題を解決するための手段】
【００１２】
本発明の走査型レーザ印字装置の構成は、好ましくは、光が出力される光ファイバと、光ファイバの光出力端を変位させる光ファイバ駆動機構と、光ファイバからの出力光を集束するための第一のレンズと第二のレンズを有し、第一のレンズは、その光軸が光ファイバの光出力端変位量に依存して変化し、第一のレンズの光軸と第二のレンズの光軸との相対的位置関係が光ファイバの光出力端変位量に依存して変化するようにしたものである。
【発明の効果】
【００１３】
本発明によれば、高精細かつ高速に印字が可能であり、また安全性が高い走査型レーザ印字装置を提供することができる。
【図面の簡単な説明】
【００１４】
【図１】実施形態１に係る走査型レーザ印字装置の構成を示すブロック図である。
【図２】実施形態１に係る走査型レーザ印字装置を用いたレーザ印字システムを示す図である。
【図３】実施形態１に係る走査型レーザ印字装置の光ファイバとピエゾ素子の斜視図である。
【図４】レーザの高出力化のために大口径光ファイバを用いたときの光ファイバ先端を走査する走査型レーザ印字装置の課題を説明する図である。
【図５】実施形態１に係る大口径光ファイバを用いた光ファイバスキャナに好適な光学系と、光ファイバ出射端面から印字対象物までの導光を説明する図である。
【図６】光学系において、印字対象物上での走査振幅と集束ビーム径との関係を、従来技術と本実施形態で比較して示した図である。
【図７】実施形態２に係る大口径光ファイバを用いた光ファイバスキャナに好適な光学系と、光ファイバ出射端面から印字対象物までの導光を説明する図である。
【図８】実施形態３に係る大口径光ファイバを用いた光ファイバスキャナに好適な光学系と、光ファイバ出射端面から印字対象物までの導光を説明する図である。
【図９】実施形態３に係る大口径光ファイバを用いた光ファイバスキャナに好適な光学系が実装された光走査ヘッド部の断面図である。
【図１０】実施形態４に係る大口径光ファイバを用いた光ファイバスキャナに好適な光学系と、光ファイバ出射端面から印字対象物までの導光を説明する図である。
【図１１】実施形態５に係る走査型レーザ印字装置の光走査ヘッド部の要部斜視図である。
【発明を実施するための形態】
【００１５】
以下、本発明に係る各実施形態を、図１ないし図１１を用いて説明する。
【００１６】
〔実施形態１〕
以下、本発明に係る実施形態１を、図１ないし図６を用いて説明する。
【００１７】
先ず、図１ないし図２を用いて実施形態１に係る走査型レーザ印字装置の構成と走査型レーザ印字装置のシステム形態について説明する。
走査型レーザ印字装置２００は、図１に示されるように、光走査ヘッド部２０４と制御装置本体２０１が、配線ケーブル２０３で接続され、制御装置本体２０１から光走査ヘッド部２０４に対して、配線ケーブル２０３の中を通る光ファイバ１０４により両者が接続されている形態である。光ファイバ１０４は、光源６０１から出射される光を導波させるためガラスやプラスチックからなる導波管である。
【００１８】
なお、図１には図示していないが、制御装置本体２０１には、設定情報や印字状態を表示するためのディスプレイも備わっている。
【００１９】
光走査ヘッド部２０４は、光ファイバ１０４、走査領域拡大レンズ３０１、集光レンズ４０１、レンズ駆動機構６０２、ピエゾ素子１０３からなる。
【００２０】
走査領域拡大レンズ３０１は、光ファイバ１０４から出射されたビームの走査領域を拡大するための凸レンズである。集光レンズ４０１は、光ファイバ１０４から出射されたビームを、走査領域拡大レンズ３０１に入力する前に集束してビーム径をしぼるためのレンズである。レンズ駆動機構６０２は、集光レンズ４０１の光軸を変化させる機構である。ピエゾ素子１０３は、光ファイバの一方の端近傍に接続されて、光ファイバの先端を振動させるための圧電素子である。
なお、走査領域拡大レンズ３０１と集光レンズ４０１に関する光学的挙動は後に詳説する。
【００２１】
制御装置本体２０１は、光源６０１、光ファイバ１０４、駆動電流制御回路６０３、駆動電圧制御回路６０４、タイミング制御回路６０５、データ入力インターフェース６０６からなる。
【００２２】
光源６０１は、レーザを生成する光源である。駆動電流制御回路６０３は、光源の駆動電流を制御する回路である。駆動電圧制御回路６０４と、ピエゾ素子１０３およびレンズ駆動機構６０２の駆動電圧を制御する回路である。タイミング制御回路６０５は、駆動電流と駆動電圧のタイミングを制御する回路である。データ入力インターフェース６０６は、データ入力用のインターフェース回路である。
ここで、光ファイバ端面と集光レンズの変位量の同期を取るには、両者を駆動するための電気信号の繰り返し周波数をほぼ同一とすればよい。
【００２３】
次に、図２を用いて、本実施形態に係る走査型レーザ印字装置を用いたレーザ印字システムの使用形態を説明する。
走査型レーザ印字装置を用いたレーザ印字システムは、図２に示されるように、走査型レーザ印字装置２００が設置されており、製造用ベルトコンベアなどの搬送装置２０６により、搬送される印字対象物２０７ａ、２０７ａｂ、２０７ｃに対して、レーザにより、製造番号、製造年月日などのラベル２０５の印字をおこなう。
【００２４】
走査型レーザ印字装置２００は、図１でも示したように、制御装置本体２０１と光走査ヘッド部２０４とが配線ケーブル２０３により接続された形態であり、作業員は、ディスプレイ２０２により、設定情報や印字状態を視認することができる。
【００２５】
本実施形態における走査型レーザ印字装置は、ガルバノミラーを用いていないため光走査ヘッド部２０４が非常に小型であり、搬送装置２０６上を移動する印字対象物２０７ａ、２０７ｂ、２０７ｃの所定の印字領域の近くに光走査ヘッド部２０４を近づけて印字することが可能である。また、本実施形態における走査型レーザ印字装置は、導光に光ファイバを用いているため、光走査ヘッド部２０４と制御装置本体２０１を配線ケーブル２０３で接続することで分離することが可能であり、製造ラインと物理的に干渉しない位置に制御装置本体２０１を配置するなど製造ラインの種類に対し柔軟に対応することができる。また、レーザ光を光ファイバで印字対象物直近まで導光することができるため、自由空間を伝搬する距離が短く、安全性が高いという特徴がある。
【００２６】
次に、図３を用いて本実施形態に係る走査型レーザ印字装置においてレーザ光の走査方法について説明する。
本実施形態における走査型レーザ印字装置では、レーザ光が導波し端面から出射させる光ファイバの出射端近傍位置を変位させることにより、光の出射方向を走査している。そして、出射端位置の変位には電圧を印加したときに歪が生じるピエゾ素子を用いている。図３ではピエゾ素子１０３の周回に沿って四つのピエゾ素子電極１０１ａ、１０１ｂ、１０１ｃ、１０１ｄが配置されており、ピエゾ素子１０３の中心穴には光ファイバ１０４が通されている。ピエゾ素子電極１０１ａ、１０１ｂは、横方向（ｘ方向）の変位量を調整し、またピエゾ素子電極１０１ｃ、１０１ｄは、縦方向（ｙ方向）の変位量を調整する。このように、走査型レーザ印字装置では、それぞれの電極に印加する電圧を制御することで光ファイバ出射端面１０５とほぼ水平な２次元面内において光を走査することが可能になる。
【００２７】
なお、図３中には図示していないが、光ファイバ出射端面１０５の逆側の端面には、光源６０１からのレーザ光を入力する。そのとき、光ファイバにレーザ光を高効率で入力し、導波させるには、レーザを半導体レーザやファイバレーザとすることが好適である。
【００２８】
本実施形態における走査型レーザ印字装置では、出射ビーム径は、光ファイバのコア径に依存している。コア径は数μｍから１００μｍ程度と非常に小さくすることが可能であるため高精細な印字が可能である。また、本実施形態においてはレーザとして半導体レーザやファイバレーザを用いることができるため、ＣＯ２レーザよりも高出力化が可能である。よって高速印字が可能である。また、ガルバノミラーを用いていないためさらに高速な印字が可能である。本実施形態の光ファイバスキャナはガルバノミラーに対し質量が軽いため、数１０ｋＨｚから数１００ｋＨｚ程度の高い周波数で駆動することが可能である。
【００２９】
次に、図４を用いて光ファイバの先端を走査する走査型レーザ印字装置の課題について説明する。
図４には、光ファイバ出射端面から印字対象物までの導光が概念的に示されている。光ファイバスキャナでは、光ファイバ出射端面１０５から出射された光は、ビームの走査領域を拡大するために倍率が１より十分大きな走査領域拡大レンズ３０１を介して印字対象物３０２に集束される。光ファイバ１０４は、出射端面の軌跡３０６にそって動かされ、光ファイバ出射端面１０５から出射された光は、走査領域拡大レンズ３０１までは、伝搬光の光軸３０５にそって進み、そして、走査領域拡大レンズ３０１で屈折し、印字対象物３０２上でレーザ光の集束位置３０３に集束する。ここで、光ファイバ出射端面での走査振幅３０７は、走査領域拡大レンズ３０１により、印字対象物上では走査振幅３０８に拡大される。
【００３０】
走査領域拡大レンズの倍率については、仮に、出射端面での走査振幅が５００μｍであり、印字対象物上での走査振幅を５０００μｍとする場合は、倍率１０倍のレンズを用いればよい。ここで重要なことは、高倍率のレンズを用いることにより、印字対象物上での走査振幅は拡大するが、集束ビーム径も倍率分だけ拡大することである。コア径が数μｍ程度と小さい光ファイバを用いる場合は、ビーム径が拡大してもなお十分無視できるほど小さいために問題とならないが、コア径が大きい場合はビーム径拡大が印字品質の劣化につながるとい課題がある。一例を挙げるならば、波長１μｍ、出力数１０Ｗの半導体レーザを用いる場合、コア径１００μｍ程度のマルチモード光ファイバを用いることが一般的であり、倍率１０倍のレンズを用いた場合は、集束ビーム径が１ｍｍと非常に大きくなってしまう。
【００３１】
次に、図５および図６を用いて本実施形態の大口径光ファイバを用いた光ファイバスキャナに好適な光学系と、光ファイバ出射端面から印字対象物までの導光について説明する。
本実施形態の光ファイバスキャナの光学系では、光ファイバ出射端面１０５と走査領域拡大レンズ３０１を結ぶ伝搬光の光軸４０５上に光ファイバ出射端面１０５の位置に依存して光軸４０２が変位する集光レンズ４０１が備えられている。集光レンズ４０１の形状は両凸レンズであってもよいし、平凸レンズであってもよい。より好ましくは球面収差が小さい非球面の平凸レンズである。また、集光レンズ４０１の倍率が１以下であり、結像位置４０４におけるビーム径がコア径よりも小さいことが好ましい。さらに、光ファイバ出射端面の軌跡３０６と、集光レンズの軌跡４０６がほぼ平行であり、伝搬光の光軸４０５と集光レンズの光軸４０２がほぼ一致していることが好ましい。言い換えれば、集光レンズの光軸４０２が、光ファイバ１０４の光出射端変位量に依存して変化することで、走査領域拡大レンズの光軸３０４との相対的位置関係が、光ファイバ１０４の光出射端変位量に依存して変化すること意味する。
【００３２】
このとき、光ファイバ端面から出射されるビームの結像位置における走査振幅４０７は、光ファイバ出射端面での走査振幅３０７と同程度であるが、結像位置におけるビーム径はコア径よりも小さい。よって、図４と同様の高倍率な走査領域拡大レンズ３０１を介して印字対象物３０２上に集束させた場合においても、印字対象物上での走査振幅４０８を十分に大きく保ったまま、レーザ光の集束位置４０３におけるビーム径を小型化できる。その結果として印字品質の劣化を抑制でき、高精細な印字が可能となる。
【００３３】
光学系において、印字対象物上での走査振幅と集束ビーム径との関係を、従来技術と本実施形態で比較して示すと、図６のようになる。すなわち、例えば、走査振幅が２ｍｍ程度の場合、従来技術の光学系では、集束ビーム径が、１０００μｍ以上になるが、本実施形態では、１５０μｍ程度である。このように本実施形態の構成により、同じ走査振幅で比較した場合、大幅に集束ビーム径を小さくすることが可能である。また、同じ集束ビーム径で比較した場合、大幅に走査振幅を拡大することが可能である。既に述べたように、本実施形態は、コア系が大きい大口径マルチモード光ファイバに有効である。
【００３４】
以上のように、本実施形態の光学系を備えた走査型レーザ印字装置によれば、高精細で高速印字が可能になる。
【００３５】
〔実施形態２〕
以下、本発明に係る実施形態２を、図７を用いて説明する。
本実施形態での走査型レーザ印字装置の構成は、図１に示した実施形態１の走査型レーザ印字装置とほぼ同様であるが、光走査ヘッド部２０４における光学系のみが異なっており、より簡易な構成で実現することができる。
【００３６】
本実施形態の光学系において、光ファイバ７０２の出射端面に集光機能を有するレンズ部７０１が装荷されている。レンズの形状は、円錐形状やボール形状、球面形状、楔形形状であってもよい。また、屈折率分布型の円柱レンズが装荷されていてもよい。これらのレンズ装荷型の光ファイバは、通常の光ファイバの端面を研磨加工することでも形成でき、また小型なレンズを光ファイバの端面に接着固定することでも形成できる。装荷されたレンズ部７０１の倍率は１以下とし、結像位置７０４におけるビーム径がコア径よりも小さいことが好ましい。
【００３７】
本実施形態の構成においては、光ファイバ端面から出射されるビームの結像位置における走査振幅７０７は、光ファイバ出射端面近傍での走査振幅７０９と同程度であるが、結像位置におけるビーム径はコア径よりも小さい。よって、図４と同様の高倍率な走査領域拡大レンズ３０１を介して印字対象物３０２上に集束させた場合においても、印字対象物上での走査振幅７０８を十分に大きく保ったまま、レーザ光の集束位置７０３におけるビーム径を小型化できる。その結果として印字品質の劣化を抑制でき、高精細な印字が可能となる。
【００３８】
さらに、本実施形態においては、実施形態１の一例として示した図５の構成における集光レンズ４０１と同様の機能を、光ファイバ自身が有しているため、集光レンズ４０１が不要である。よって、光学部品の数が少なく、より簡易的に構成できる利点がある。また、光ファイバとレンズ機能が一体化していることにより、互いの位置関係が常に一致しているため、実施形態１よりも集光性能が高い。また、光学系の構成が簡素化されるのみではなく、レンズを制御するための制御回路が不要となるため、駆動系の構成も簡素化することができ、装置の低価格化と小型化に有利である。実施形態１と比較したデメリットは、レンズ曲率が大きいため、光ファイバの開口数が大きい場合にはレンズ部の球面収差の影響が大きいことである。球面収差の影響を小さくするには光ファイバの開口数を小さくすることが有効であり、これに対しては、フォトニック結晶ファイバが好適である。
【００３９】
以上のように、本実施形態によれば、高精細で高速印字が可能であり、実施形態１と比較して、構成が簡易的で、より高品質な印字が可能な走査型レーザ印字装置を提供することができる。
【００４０】
〔実施形態３〕
以下、本発明に係る実施形態３を、図８および図９を用いて説明する。
本実施形態の光学系は、実施形態２に示した光学系の別形態であり、より高品質に印字することができるものである。本実施形態の光学系では、走査領域拡大レンズ３０１と印字対象物３０２とを結ぶ光軸８０５上に、テレセントリックレンズ８０１が備えられている。ここで、テレセントリックレンズとは、透過する光線が光軸３０４（なお、走査領域拡大レンズ３０１の光軸とテレセントリックレンズ８０１の光軸は一致するため同じ符号で記した）に対してほぼ平行となるレンズのことである。テレセントリックレンズがない場合は、ビームが放射状に出射されるため、印字対象物上におけるビーム走査領域の外周付近では、ビームが斜めから入射されることとなり、集束ビーム形状が楕円形状になる。よって、印字物の中心付近と外周付近ではビーム形状が異なるため印字品質が劣化する。
【００４１】
一方、テレセントリックレンズが備えられている場合には、印字物の中心付近と外周付近でビーム径状がほぼ同一であり、理想的な真円形状を保つことができるため、印字品質を高くすることができる。また、直接的な印字品質以外のテレセントリックレンズの効果としては、テレセントリックレンズと走査領域拡大レンズとの間の光をほぼ平行光（コリメート光）にすることができる点が挙げられる。コリメート光とすることにより、両レンズの間隔を変更しても倍率が変化しないため、光学設計の柔軟性を高めることができる。また、両レンズ間に平行平面板などの光学部品を挿入しても集束位置に変化が生じないため、例えば、ビームスプリッタを挿入することで一部の光をモニタすることができる。モニタした情報を用い、光ファイバ制御機構をフィードバック制御することにより、さらに印字品質の向上を図ることができる。図８では、テレセントリックレンズを用いた構成の一例として、レンズ装荷型光ファイバを図示したが、それに限ったものではなく、実施形態１の図５に示すように集光レンズが独立した構成であってもよい。
【００４２】
本実施形態のテレセントリックレンズを用いた光学系が実装された光走査ヘッド部の一例を示すと、図９のようになる。
【００４３】
本実施形態の光走査ヘッド部９００は、ビームスプリッタ９０３を設けて、ピエゾ素子９０１により走査されるレンズ装荷型光ファイバ９０２から出射される光をビームスプリッタ９０３により分岐させて、分岐光９０４として、位置検出用受光器９０５に入力する。ビームスプリッタ９０３における透過光９０７は、テレセントリックレンズ８０１に入力される。また、位置検出用受光器９０５は、受光器位置調整機構９０６により、その位置が調節される。このようにビームスプリッタを挿入し一部の光をモニタすることができる。
【００４４】
そして、位置検出用受光器９０５に入力された光は、位置検出用受光器９０５と電気的に接続されたビーム位置検出回路（図示しない）に入力されて、ビーム位置検出回路がビーム位置情報を算出し、そのビーム位置情報に基づきピエゾ素子９０１を駆動する。
【００４５】
以上のように、本実施形態によれば、テレセントリックレンズを利用することにより、実施形態１や実施形態２と比較して、光学設計の柔軟性が高く、より高品質な印字が可能な走査型レーザ印字装置を提供することができる。
また、ビームスプリッタを設けることより、一部の光をモニタすることで、さらに高品質な印字が可能となる。
【００４６】
〔実施形態４〕
以下、本発明に係る実施形態４を、図１０を用いて説明する。
本実施形態の走査型レーザ印字装置は、実施形態１と類似の性能を有しつつ、より高速、小型化が可能になる。
【００４７】
本実施形態では、光ファイバ出射端面１０５と走査領域拡大レンズ３０１を結ぶ光軸上に光ファイバ出射端面１０５の位置に依存して光軸が変位する液体レンズ１００１が備えられている。液体レンズホルダには、伝導性の水溶液１０１１と非伝導性の油１０１２が封入されており、電極１０１３ａと電極１０１３ｂ間に所望の電圧差を印加することで光軸をずらすことが可能である。また、それらの電極に印加する電圧を変化させることにより、焦点距離を変更することも可能である。ここで、液体レンズ１００１は、倍率が１以下であり、結像位置１００４におけるビーム径がコア径よりも小さいことが好ましい。さらに、光ファイバ出射端面の軌跡３０６と、液体レンズ中心位置の軌跡１００６がほぼ平行であり、伝搬光の光軸１００５と液体レンズの光軸１００２がほぼ一致していることが好ましい。このとき光ファイバ端面から出射されるビームの結像位置における走査振幅１００７は、光ファイバ出射端面での走査振幅３０７と同程度であるが、結像位置におけるビーム径はコア径よりも小さい。よって、図４と同様の高倍率な走査領域拡大レンズ３０１を介して、印字対象物３０２に集束させた場合においても、印字対象物上での走査振幅１００８を十分に大きく保ったまま、レーザ光の集束位置１００３におけるビーム径を小型化することができる。その結果として印字品質の劣化を抑制でき、高精細な印字が可能となる。
【００４８】
さらに、本実施形態においては、集光レンズの光軸を移動させるための機械的な機構が存在しないために、軽量であり小型である。また高速な光軸調整が可能である。さらに光軸の移動のみではなく、焦点距離も高速に変更することが可能であるため、より高精度に、光ファイバ出射端面の軌跡３０６に追従することが可能であり、実施形態１よりも集光性能を高くすることができる。
【００４９】
なお、図１０には、テレセントリックレンズを用いない光学系を示したが、これに限ったことではなく、実施形態３と同様にテレセントリックレンズやビームスプリッタを用いてもよい。この場合には、より高品質な印字が可能である。
【００５０】
以上のように、本実施形態によれば、液体レンズの特性を活かした光学系の構成にすることにより、高精細で高速印字が可能な走査型レーザ印字装置を提供することができる。実施形態１などと比較して、より軽量、小型であり、高速、高品質な印字が可能な走査型レーザ印字装置を提供することができる。
【００５１】
〔実施形態５〕
以下、本発明に係る実施形態５を、図１１を用いて説明する。
本実施形態は、光走査軌跡の補正機能を有する走査型レーザ印字装置に関するものである。
【００５２】
製造ラインにおいては一般的には印字対象物が高速に移動しているため、集束ビームの走査軌跡は、移動方向とほぼ垂直方向の直線状がより好ましい。しかしながら、実際には、光ファイバ駆動用のピエゾ素子の製造ばらつきや、光ファイバのピエゾ素子への実装誤差により、不要な方向、すなわち、印字対象物の移動方向にもわずかに振動する。すなわち、走査軌跡が厳密には直線状ではなく楕円状となる。楕円状で走査した場合は、印字対象物上でビーム照射位置が重なりあう場合があり、これが印字品質を劣化する要因となる。
【００５３】
本実施形態の走査型レーザ印字装置は、光学系により不要な方向への光の広がりを抑え、理想的な直線状の走査軌跡を得るための構成である。
【００５４】
本実施形態における光学系では、ピエゾ素子９０１により走査されるレンズ装荷型光ファイバ９０２から出射される光を受けるための走査領域拡大レンズ３０１、テレセントリックレンズ８０１、円柱レンズ１１０３が設けられている。走査軌跡１１０１は、レンズ装荷型光ファイバから出射されたビームの走査軌跡であり、走査軌跡１１０２は、印字対象物３０２上での走査軌跡である。
【００５５】
本実施形態では、テレセントリックレンズ８０１と印字対象物３０２間に円柱レンズ１１０３が備えられていることが特徴である。円柱レンズ１１０３は、意図した走査方向である走査軌跡長軸方向に対しては平板として機能し、意図していない不要走査方向である走査軌跡短軸方向に対しては、集光レンズとして機能する配置にて備え付けられている。平板は、走査振幅を変更する作用が無いのに対し、集光レンズは、走査振幅を減少させる効果があるため、不要走査成分のみが除去される。よって、円柱レンズを用いることで光走査軌跡の補正が成され、より高品質な印字が可能となる。
【００５６】
なお、図１１中での円柱レンズ１１０３とその他のレンズとの位置関係は、これに限られたものではなく、円柱レンズ１１０３が走査領域拡大レンズ３０１とテレセントリックレンズ８０１間に備えられていてもよい。また、実施形態３で説明したように、走査領域拡大レンズ３０１とテレセントリックレンズ８０１間にビームスプリッタが備えられていてもよい。
【００５７】
以上のように、本実施形態によれば、円柱レンズを利用することにより、印字対象物上での光走査軌跡の補正機能を有し、より高品質な印字が可能な走査型レーザ印字装置を提供することができる。
【符号の説明】
【００５８】
１０１…ピエゾ素子電極、１０３、９０１…ピエゾ素子、１０４…光ファイバ、１０５…光ファイバ出射端面、２０１…制御装置本体、２０２…ディスプレイ、２０３…配線ケーブル、２０４、９００…光走査ヘッド部、２０５…ラベル、２０６…搬送装置、２０７…印字対象物、３０１…走査領域拡大レンズ、３０２…印字対象物、３０３、４０３、７０３、８０３、１００３…集束位置、３０４…走査領域拡大レンズの光軸、３０６…光ファイバ出射端面の軌跡、３０７…光ファイバ出射端面での走査振幅、３０８、４０８、７０８、８０８、１００８…印字対象物上での走査振幅、４０１…集光レンズ、４０２…集光レンズの光軸、４０４、７０４、１００４…結像位置、３０５、４０５、７０５、８０５、１００５…伝搬光の光軸、４０６…集光レンズの軌跡、４０７、７０７、１００７…結像位置における走査振幅、６０１…光源、６０２…レンズ駆動機構、６０３…駆動電流制御回路、６０４…駆動電圧制御回路、６０５…タイミング制御回路、６０６…データ入力インターフェース、７０１…レンズ部、７０２、９０２…レンズ装荷型光ファイバ、７０９…光ファイバ出射端面近傍での走査振幅、８０１…テレセントリックレンズ、９０３…ビームスプリッタ、９０４…分岐光、９０５…位置検出用受光器、９０６…受光器位置調整機構、９０７…透過光、１００１…液体レンズ、１００２…液体レンズの光軸、１００６…液体レンズ中心位置の軌跡、１０１１…伝導性の水溶液、１０１２…非伝導性の油、１０１３…電極、１１０１…出射されたビームの走査軌跡、１１０２…印字対象物上での走査軌跡、１１０３…円柱レンズ
【図１】
2019207926.tif 000003
【図２】
2019207926.tif 000004
【図３】
2019207926.tif 000005
【図４】
2019207926.tif 000006
【図５】
2019207926.tif 000007
【図６】
2019207926.tif 000008
【図７】
2019207926.tif 000009
【図８】
2019207926.tif 000010
【図９】
2019207926.tif 000011
【図１０】
2019207926.tif 000012
【図１１】
2019207926.tif 000013